(57)【要約】【課題】本発明は、コルゲートが所望の位置に配置されていることを確実に確認できるプロテクタ及びワイヤーハーネス付プロテクタを提供すること【解決手段】外周方向に隆起する隆起部２１１と内周方向に凹む溝部２１２とが長手方向Ｘに沿って交互に配置されたメインコルゲート２１０に挿通されたワイヤーハーネス１００を内部に収容するプロテクタ２は、メインコルゲート２１０を固定するメイン側固定用リブ４３及びメインコルゲート２１０が挿入されるメイン挿通口４５を有するとともに、内部にワイヤーハーネス１００を挿通するメイン挿通部４０が設けられ、メイン挿通部４０に、メイン挿通口４５からメインコルゲート２１０が所定位置まで挿入されたことを外部から確認する挿入確認部７０が、メインコルゲート２１０の外周面に当接する嵌合部７３と、嵌合部７３を外部から確認可能となるように外側へ移動させるヒンジ部７２とで構成された。【選択図】図７
2019161956.tif 000002
【特許請求の範囲】
【請求項１】
外周方向に隆起する隆起部と内周方向に凹む溝部とが長手方向に沿って交互に配置された蛇腹構造のコルゲートに挿通されたワイヤーハーネスを内部に収容するプロテクタであって、
前記コルゲートを固定するコルゲート固定部及び前記コルゲートの端部が挿入される挿入口を有するとともに、内部に前記ワイヤーハーネスを挿通するワイヤ挿通部が設けられ、
前記ワイヤ挿通部に、前記挿入口から前記コルゲートが所定位置まで挿入されたことを外部から確認する挿入確認部が備えられ、
前記挿入確認部は、
前記挿入口から所定位置まで挿入された前記コルゲートの外周面に当接する当接部と、
該当接部を外部から確認可能となるように外側へ移動可能に支持する移動支持部とで構成された
プロテクタ。
【請求項２】
前記ワイヤ挿通部に、
外部と内部とを貫通する貫通孔が設けられ、
前記移動支持部は、
前記貫通孔に対応するように内部に配置された前記当接部を前記貫通孔まで移動可能に支持する
請求項１に記載のプロテクタ。
【請求項３】
前記当接部が前記貫通孔の形状に比べて小さい
請求項２に記載のプロテクタ。
【請求項４】
前記プロテクタは、底面部と両側の側壁部とで断面凹状に形成されたプロテクタ本体と、開口を覆う蓋部とで構成され、
前記プロテクタ本体における前記底面部又は前記蓋部に、前記貫通孔及び前記挿入確認部を備えた
請求項２又は請求項３のうちのいずれかに記載のプロテクタ。
【請求項５】
前記当接部は、
前記プロテクタ本体に対して前記蓋部を装着させる装着方向における前記コルゲートの前記隆起部又は前記溝部の円頂部分に対応する位置に設けられた
請求項４に記載のプロテクタ。
【請求項６】
前記移動支持部は、
前記ワイヤ挿通部に支持されるとともに、前記当接部を枢動させる枢支部で構成された
請求項１乃至請求項５のうちのいずれかに記載のプロテクタ。
【請求項７】
前記移動支持部は、板状の連結部の一端側と連結するように構成され、
前記連結部の他端側に前記当接部が連結された
請求項６に記載のプロテクタ。
【請求項８】
前記連結部が、一端側が他端側よりも幅広の台形状である
請求項７に記載のプロテクタ。
【請求項９】
前記当接部が、前記挿入口から挿通される前記ワイヤーハーネスの挿通方向の基端側に設けられ、
前記枢支部が、前記挿入口から挿通される前記ワイヤーハーネスの挿通方向の先端側に設けられた
請求項７又は請求項８に記載のプロテクタ。
【請求項１０】
前記当接部は、前記隆起部又は前記溝部に対して嵌合する嵌合部で構成された
請求項１乃至請求項９のうちのいずれかに記載のプロテクタ。
【請求項１１】
外周方向に隆起する隆起部と内周方向に凹む溝部とが長手方向に沿って交互に配置された蛇腹構造のコルゲートに挿通されたワイヤーハーネスと、
前記コルゲートの端部が挿入される挿入口を有するとともに、内部に前記ワイヤーハーネスを挿通するワイヤ挿通部が設けられたプロテクタとで構成されたワイヤーハーネス付プロテクタであって、
前記ワイヤ挿通部に、前記挿入口から前記コルゲートが所定位置まで挿入されたことを外部から確認する挿入確認部が備えられ、
前記挿入確認部は、
前記挿入口から所定位置まで挿入された前記コルゲートの外周面に当接する当接部と、
該当接部を支持するとともに、前記コルゲートの外周面に当接する前記当接部を外部から確認可能となるように外側へ移動させる移動支持部とで構成された
ワイヤーハーネス付プロテクタ。
【発明の詳細な説明】
【技術分野】
【０００１】
この発明は、例えば、車両などに配索されるワイヤーハーネスを保護するプロテクタおよびワイヤーハーネスの一部分をプロテクタで保護したワイヤーハーネス付プロテクタに関する。
【背景技術】
【０００２】
自動車の操作性や快適性を向上させるために装備されている電気機器類は、ワイヤーハーネスを介してバッテリーなどと電気的に接続されており、信号の送受信や電力の供給などが行われている。このように電気機器類を接続するワイヤーハーネスは、一部分をプロテクタに収容して車両本体に固定することで車両本体に配策されている。
【０００３】
また、ワイヤーハーネスがプロテクタの挿入口と干渉して損傷しないように、プロテクタの挿入口にコルゲートを固定し、このコルゲートにワイヤーハーネスを挿通させている。この際、コルゲートがプロテクタの挿入口から抜けないように、コルゲートをプロテクタの挿入口から所定の位置まで挿入させている。
【０００４】
例えば、特許文献１に開示されているプロテクタは、コルゲートを固定するとともにワイヤーハーネスを挿通させるワイヤ挿通部に、コルゲートの先端を当接させる位置決め部を備えるとともに、位置決め部を目視できる貫通孔をワイヤ挿通部の底面に設けることで、ワイヤ挿通部における所定の位置までコルゲートが挿入されていることを目視できるとされている。
【０００５】
しかしながら、特許文献１に開示されているプロテクタでは、位置決め部が貫通孔よりも挿通口側に設けられているため、貫通孔からの視界が位置決め部によって遮られ、コルゲートの先端と位置決め部とが当接しているかを目視することが困難であった。このため、コルゲートが所定の位置まで挿入されていることを確実に確認できなかった。
【先行技術文献】
【特許文献】
【０００６】
【特許文献１】特開２００４−７２９３２号公報
【発明の概要】
【発明が解決しようとする課題】
【０００７】
本発明は、上述の問題に鑑み、コルゲートが所定の位置まで挿入されていることを確実に確認できるプロテクタ及びワイヤーハーネス付プロテクタを提供することを目的とする。
【課題を解決するための手段】
【０００８】
この発明は、外周方向に隆起する隆起部と内周方向に凹む溝部とが長手方向に沿って交互に配置された蛇腹構造のコルゲートに挿通されたワイヤーハーネスを内部に収容するプロテクタであって、前記コルゲートを固定するコルゲート固定部及び前記コルゲートの端部が挿入される挿入口を有するとともに、内部に前記ワイヤーハーネスを挿通するワイヤ挿通部が設けられ、前記ワイヤ挿通部に、前記挿入口から前記コルゲートが所定位置まで挿入されたことを外部から確認する挿入確認部が備えられ、前記挿入確認部は、前記挿入口から所定位置まで挿入された前記コルゲートの外周面に当接する当接部と、該当接部を外部から確認可能となるように外側へ移動可能に支持する移動支持部とで構成されたことを特徴とする。
【０００９】
またこの発明は、外周方向に隆起する隆起部と内周方向に凹む溝部とが長手方向に沿って交互に配置された蛇腹構造のコルゲートに挿通されたワイヤーハーネスと、前記コルゲートの端部が挿入される挿入口を有するとともに、内部に前記ワイヤーハーネスを挿通するワイヤ挿通部が設けられたプロテクタとで構成され、前記ワイヤ挿通部に、前記挿入口から前記コルゲートが所定位置まで挿入されたことを外部から確認する挿入確認部が備えられ、前記挿入確認部は、前記挿入口から所定位置まで挿入された前記コルゲートの外周面に当接する当接部と、該当接部を外部から確認可能となるように外側へ移動可能に支持する移動支持部とで構成されたワイヤーハーネス付プロテクタであることを特徴とする。
【００１０】
前記隆起部と前記溝部とは長手方向に沿って凹凸形状を形成していればよく、前記隆起部の高さや前記溝部の深さ、前記隆起部及び前記溝部形状については特に限定されない。すなわち、前記隆起部は前記溝部よりも外周方向に隆起して構成されていればよく、同様に前記溝部は前記隆起部よりも内周方向に対して凹んで構成されていればよい。
【００１１】
前記当接部は、前記コルゲートとの当接部分が平坦となるような構成や、前記コルゲートとの当接部分が前記ワイヤ挿通部の内側に向けて突出あるいは外側に向けて窪んだ構成、前記コルゲートにおける前記隆起部及び前記溝部と嵌合できるような構成を含む。
【００１２】
上述の外周面に当接するとは、前記コルゲートの前記隆起部や前記溝部と当接することをさし、前記当接部が前記コルゲートの外周面と単に接触する場合のみならず、前記当接部が前記溝部や前記隆起部と嵌合する場合を含む。  
前記移動支持部は、例えば前記当接部が摺動するように支持する構成や、前記当接部が前記ワイヤ挿通部の内側から外側へ平行移動するように支持する構成などを含む。
【００１３】
上述の外部から確認するとは、前記当接部を視覚又は力覚により確認することをさす。例えば、前記ワイヤ挿通部を構成する面と面一となるように構成された前記当接部が前記コルゲートの外周面と当接することにより、前記ワイヤ挿通部の外側に突出することや、前記ワイヤ挿通部の内側に配置されている前記当接部が前記コルゲートの外周面と当接することで、前記ワイヤ挿通部を構成する面と面一となる、あるいはワイヤ挿通部の外側に突出するなどにより、前記当接部を目視確認や触手確認できることさす。また、前記ワイヤ挿通部の内部を視認できるように設けられた貫通孔の全部又は一部を前記当接部が塞ぐことや、前記ワイヤ挿通部の内部において前記貫通孔から視認や触手できる位置まで前記当接部が外側に移動することなどにより、前記当接部を外部から目視や触手で確認できることをさす。
【００１４】
この発明により、前記コルゲートが所定の位置まで挿入されていることを確実に確認できる。  
詳述すると、前記コルゲートを所定の位置まで挿入することで、前記コルゲートの外周面と当接した前記当接部が前記ワイヤ挿通部の外側に移動することとなる。これにより、外部から当接部を目視や触手により確認でき、前記ワイヤ挿通部の所定の位置まで前記コルゲートが挿通されていることを確実に確認できる。
【００１５】
また、例えば前記プロテクタが車体に組み付けられて前記当接部が目視できない位置に配置された場合や、前記プロテクタが暗い場所に設置されている場合であっても、前記当接部を触手で確認できるため、前記プロテクタを車体から取り外すことなく前記コルゲートが所定の位置まで挿入されているかを確認できる。
【００１６】
この発明の態様として、前記ワイヤ挿通部に、外部と内部とを貫通する貫通孔が設けられ、前記移動支持部は、前記貫通孔に対応するように内部に配置された前記当接部を前記貫通孔まで移動可能に支持してもよい。  
上述の前記貫通孔に対応するように内部に配置されたとは、前記プロテクタの内部であって前記貫通孔の位置に合わせた位置に配置されたことをさし、例えば、前記当接部が前記貫通孔を形成する縁部に枢支されることにより、前記貫通孔に向けて移動できるように配置された場合や、前記当接部が前記貫通孔と向き合って配置された場合などのように、前記貫通孔に対して前記当接部を移動可能となるように配置されたことをさす。
【００１７】
上述の貫通孔まで移動可能にとは、前記貫通孔を形成する前記ワイヤ挿通部を構成する面と面一となるように前記当接部を移動できる場合や、前記当接部を前記貫通孔から目視又は触手で確認できる程度に近接できる場合を含む。
【００１８】
この発明によると、前記コルゲートの外周面と当接した前記当接部が前記貫通孔まで移動するため、前記貫通孔から前記当接部を確認することができる。したがって、前記コルゲートが所望の位置まで挿入されていることを確実に確認できる。  
また前記当接部が前記貫通孔まで移動することにより、前記貫通孔が前記当接部によって少なくとも部分的に塞がれるため、前記貫通孔から前記ワイヤ挿通部の内部に異物が侵入することを防止できる。
【００１９】
さらにまた、前記当接部は前記貫通孔まで移動するため、すなわち前記当接部が前記貫通孔の外側に突出することがないため、例えば前記プロテクタの外側に他の機器を配置するための空間を確保できるとともに、見栄えを向上させることができる。
【００２０】
またこの発明の態様として、前記当接部は、前記貫通孔の形状に比べて小さくてもよい。  
上述の前記貫通孔の形状に比べて小さいとは、例えば貫通孔が矩形状である場合には、前記貫通孔の長手方向又は短手方向の少なくとも一方側の長さに対して、対応する前記当接部の長さが短ければよい。なお、前記貫通孔と前記当接部の形状が相似形である必要はない。
【００２１】
この発明により、前記当接部と前記貫通孔との間に隙間を設けることができ、前記当接部が過度に内部側に入り込んでしまったときなどに、前記貫通孔を介して前記当接部を前記コルゲートと正しく当接する位置に戻すことができる。
【００２２】
またこの発明の態様として、前記プロテクタは、底面部と両側の側壁部とで断面凹状に形成されたプロテクタ本体と、開口を覆う蓋部とで構成され、前記プロテクタ本体における前記底面部又は前記蓋部に、前記貫通孔及び前記挿入確認部を備えてもよい。
【００２３】
前記側壁部は、前記底面部の両端側において立設された側壁をさす。この側壁部は、例えば前記底面部において長手方向と交差する幅方向の両端から立設している場合や、前記底面部の両端よりも内側において立設されている場合、側面の一方が幅方向の一端で立設されているとともに他方が他端よりも内側において側面の他方が立設している場合を含む。
【００２４】
この発明によると、前記ワイヤ挿通部に前記貫通孔を容易に設けることができるため加工性が向上するとともに、製造コストを削減することができる。  
また、前記プロテクタを車体に取り付けた状態において、前記蓋部又は前記底面部の一方は前記車体側と当接する面となる。すなわち、前記蓋部又は前記底面部の他方が前記車体の外側を向くように配置されることとなるため、他方側に前記貫通孔及び前記移動支持部を備えることで、前記車体に取り付けた状態でも前記コルゲートが所定の位置まで挿通されているかを容易かつ確実に確認できる。
【００２５】
またこの発明の態様として、前記当接部は、前記プロテクタ本体に対して前記蓋部を装着させる装着方向における前記コルゲートの前記隆起部又は前記溝部の円頂部分に対応する位置に設けられてもよい。
【００２６】
この発明によると、前記当接部の高さを低くすることができるため、前記当接部の剛性を高めることができる。これにより、前記コルゲートとの当接によりに前記当接部が破損することを防止できる。  
また、前記当接部が意図しない前記コルゲートの外周面と当接することにより移動することを防止できる。
【００２７】
またこの発明の態様として、前記移動支持部は、前記ワイヤ挿通部に支持されるとともに、前記当接部を枢動させる枢支部が備えられてもよい。  
この発明により、容易な構成で前記当接部を前記ワイヤ挿通部の外側へ枢動できる。
【００２８】
また、前記当接部が前記コルゲートと当接していない状態では、前記当接部の前記ワイヤ挿通部に対する傾斜が大きくなる。一方で、前記当接部が、前記コルゲートと当接することにより、前記当接部が枢動して前記ワイヤ挿通部に対する傾斜が小さくなる。このように、前記当接部が枢動することにより、前記ワイヤ挿通部の外部から確認できる前記当接部の変化が明確なるため、より確実に当接部を目視や触手により確認できる。したがって、前記コルゲートが所定位置まで配置されたことをより確実に確認することができる。
【００２９】
またこの発明の態様として、前記移動支持部は、板状の連結部の一端側と連結するように構成され、前記連結部の他端側に前記当接部が備えられてもよい。  
この発明により、前記連結部の他端側に設けられた前記当接部の移動幅を大きくすることができる。すなわち、前記当接部が前記コルゲートの外周面と当接前後における変化量が大きくできるため、より確実に当接部を目視や触手により確認できる。したがって、前記コルゲートが所定位置まで挿通されていることをより確実に確認することができる。
【００３０】
またこの発明の態様として、前記連結部が、一端側が他端側よりも幅広の台形状であってもよい。  
この発明により、前記枢支部が設けられた前記連結部の一端側の強度を向上させることができる。
【００３１】
またこの発明の態様として、前記当接部が、前記挿入口から挿通される前記ワイヤーハーネスの挿通方向の基端側に設けられ、前記枢支部が、前記挿入口から挿通される前記ワイヤーハーネスの挿通方向の先端側に設けられてもよい。  
【００３２】
この発明により、前記当接部を前記挿通口側に設けることができるため、前記コルゲートが所定の位置まで挿入されているかを確認するために、余分に挿通させる前記コルゲートの長さを短くすることができる。したがって、不要に前記コルゲートが長くなることを防止でき、軽量化を図ることができる。
【００３３】
またこの発明の態様として、前記当接部は、前記隆起部又は前記溝部に対して嵌合する嵌合部で構成されてもよい。  
この発明により、前記当接部を安定して外側へ移動させることができるため、より確実に前記コルゲートが所定の位置まで挿通されたことを確認することができる。
【発明の効果】
【００３４】
この発明により、コルゲートが所定の位置まで挿入されていることを確実に確認できるプロテクタ及びワイヤーハーネス付プロテクタを提供することができる。
【図面の簡単な説明】
【００３５】
【図１】ワイヤーハーネス付プロテクタの概略斜視図。
【図２】ワイヤーハーネス付プロテクタの概略分解斜視図。
【図３】ワイヤーハーネスを挿通させたコルゲートの概略底面図。
【図４】プロテクタ本体の平面図。
【図５】メイン挿通部の断面図
【図６】メイン挿通部の拡大概略断面図。
【図７】ワイヤーハーネス付プロテクタにおけるメイン挿通部の説明図。
【図８】ワイヤーハーネス付プロテクタにおけるメイン挿通部の説明図。
【図９】他の実施形態のワイヤーハーネス付プロテクタにおけるメイン挿通部の拡大概略断面図。
【図１０】他の実施形態のワイヤーハーネス付プロテクタにおけるメイン挿通部の説明図。
【発明を実施するための形態】
【００３６】
この発明の一実施形態を以下図面と共に説明する。  
図１はワイヤーハーネス付プロテクタ１の概略斜視図を示し、図２はワイヤーハーネス付プロテクタ１の概略分解斜視図を示し、図３はワイヤーハーネス１００を挿通させたコルゲート２００の先端側の概略底面図を示す。
【００３７】
ここで、コルゲート２００の長手方向を長手方向Ｘとし、コルゲート２００の横幅方向であって長手方向Ｘと直交する方向を幅方向Ｙとし、図１中において、縦方向を上下方向Ｚとする。
【００３８】
また、図１中の長手方向Ｘに沿って左側、すなわちコルゲート２００の挿通方向の基端側を＋Ｘ方向側とし、図１中の長手方向Ｘに沿って右側、すなわちコルゲート２００の挿通方向の先端側を−Ｘ方向側とする。また、図１中の幅方向Ｙに沿って左側を−Ｙ方向側とし、右側を＋Ｙ方向側とし、図１中の上側を＋Ｚ方向側（上方）、下側を−Ｚ方向側（下方）とする。  
なお、この軸および方向は、図２乃至図１０においても同様とする。
【００３９】
図４はプロテクタ本体１０の平面図を示し、図５は図４中におけるＡ−Ａ断面図を示し、図６は図５中におけるβ部の拡大図、すなわち貫通孔６０及び挿入確認部７０の拡大断面図を示す。図７及び図８は、ワイヤーハーネス付プロテクタ１においてメインコルゲート２１０がメイン挿通部４０の所定の位置まで挿入された状態、及び、挿入されていない状態の説明図を示す。
【００４０】
図４、図７及び図８について詳述すると、図４（ａ）はプロテクタ本体１０の平面図を示し、図４（ｂ）は図４（ａ）におけるα部の拡大図を示す。図７（ａ）はワイヤーハーネス付プロテクタ１においてメインコルゲート２１０がメイン挿通部４０の所定の位置まで挿入された状態におけるＡ−Ａ断面図を示し、図７（ｂ）は図７（ａ）におけるγ部の拡大図を示し、図８（ａ）はワイヤーハーネス付プロテクタ１においてメインコルゲート２１０がメイン挿通部４０の所定の位置まで挿入されていない状態におけるＡ−Ａ断面図を示し、図８（ｂ）は図８（ａ）におけるδ部の拡大図を示す。
【００４１】
図９は他の実施形態のワイヤーハーネス付プロテクタ１ｘのメイン挿通部４０におけるＡ−Ａ断面図を示し、図１０は他の実施形態のワイヤーハーネス付プロテクタ１ｙにおけるメイン挿通部４０の説明図を示す。
【００４２】
図９及び図１０について詳述すると、図９（ａ）はワイヤーハーネス付プロテクタ１ｘにおけるメイン挿通部４０のＡ−Ａ断面図を示し、図９（ｂ）は図９（ａ）におけるε部の拡大図を示す。図１０（ａ）はワイヤーハーネス付プロテクタ１ｙにおけるメイン挿通部４０のＡ−Ａ断面図を示し、図１０（ｂ）は図１０（ａ）におけるζ部の拡大図を示す。  
なお、図７乃至図１０においてワイヤーハーネス１００は省略する。
【００４３】
ワイヤーハーネス付プロテクタ１は、図１に示すように、コルゲート２００に挿通させたワイヤーハーネス１００と、ワイヤーハーネス１００を収容して保護するプロテクタ２とで構成される。  
本実施形態においてワイヤーハーネス１００は、図１及び図２に示すように、例えば一端をバッテリーなどと接続するメインハーネス１１０と、メインハーネス１１０から分岐した２本のサブハーネス１２０とで構成されている。
【００４４】
なお、メインハーネス１１０を囲繞するコルゲート２００をメインコルゲート２１０とし、サブハーネス１２０を囲繞するコルゲート２００をサブコルゲート２２０とする。  
メインコルゲート２１０は、挿通させるメインハーネス１１０の外径と同径の内径を有する樹脂製の円筒体であり、図３に示すように、外径方向に隆起する隆起部２１１と、内径方向に凹んだ溝部２１２とが長手方向Ｘに沿って交互に所定のピッチで配置された蛇腹構造で構成されている。この隆起部２１１同士の間隔及び溝部２１２同士の間隔、すなわち、隆起部２１１の中心から隣接する隆起部２１１の中心までの長さをピッチＬ１とする。また、溝部２１２の長手方向Ｘの幅をギャップＬ２とする。
【００４５】
サブハーネス１２０を挿通させるサブコルゲート２２０は、サイズが異なる点を除きメインコルゲート２１０と同じ構成をしている。すなわち、サブコルゲート２２０は、サブハーネス１２０の外径と同形の内径を有する樹脂製の円筒体であり、メインコルゲート２１０と同様に隆起部（図示省略）と溝部（図示省略）とが長手方向Ｘに沿って交互に所定のピッチで配置された蛇腹構造で構成されている。
【００４６】
プロテクタ２は、図１及び図２に示すように、上方が開口したプロテクタ本体１０とプロテクタ本体１０の上方を覆う蓋部２０とで構成されている。  
プロテクタ本体１０は、図２及び図４に示すように、底面部１１と底面部１１の端部から上方に立設する側壁部１２とで断面凹状に形成された収容部であり、側壁部１２には、蓋部２０を係止するための被係止部１３が複数個設けられている。
【００４７】
このプロテクタ本体１０は、幅方向Ｙに沿って形成されたハーネス収容部３０と、ハーネス収容部３０の＋Ｙ方向側端部と中央部分において＋Ｘ方向側に突出するメイン挿通部４０と、ハーネス収容部３０の−Ｙ方向側端部及び中央部分において＋Ｘ方向側及び−Ｘ方向側にそれぞれ突出するサブ挿通部５０とで構成されている。
【００４８】
ハーネス収容部３０は、幅方向Ｙに沿って形成された板状の収容部底面３１と、収容部底面３１の両端部から上方に立設する収容部側面３２とでワイヤーハーネス１００を収容できるように断面凹状に形成されている。
【００４９】
ハーネス収容部３０の＋Ｙ方向側端部及び中央部分から＋Ｘ方向側に突出するメイン挿通部４０は、収容部底面３１と一体に構成されたメイン挿通部底面４１と、メイン挿通部底面４１の両端から上方に立設し、かつ、収容部側面３２と連結するメイン挿通部側面４２とで断面凹状に形成されている。このように断面凹状に形成されたメイン挿通部４０は、ハーネス収容部３０と連通している。
【００５０】
このメイン挿通部４０の内部には、図４及び図５に示すように、コルゲート２００を固定するメイン側固定用リブ４３と、メインコルゲート２１０の先端位置の目安となる位置決め部４４とが備えられており、またメイン挿通部底面４１の幅方向Ｙの中央部分には、貫通孔６０及び挿入確認部７０が設けられている。
【００５１】
メイン側固定用リブ４３は、メイン挿通部底面４１及びメイン挿通部側面４２からメイン挿通部４０の内側に突出したリブであり、メインハーネス１１０の挿通方向から視て下方に向けて凸状の円弧で形成されたＵ字形状をしている。
【００５２】
このメイン側固定用リブ４３は、図５に示すように、側面断面視において凸状に形成されていり、その高さが隆起部２１１と溝部２１２との外周面の差分と同じであるとともに、長手方向Ｘに沿った長さがギャップＬ２となっている。また、メイン側固定用リブ４３において円弧上に形成された部分の内径は、溝部２１２の外径と同じになるように構成されている。
【００５３】
このように構成されたメイン側固定用リブ４３は、メイン挿通部４０の＋Ｘ方向側端部から長手方向Ｘに沿って等間隔に５つ配置されている。なお、メイン側固定用リブ４３同士の間隔は、隆起部２１１の間隔（ピッチＬ１）と等しい。また、メイン挿通部４０の＋Ｘ方向側端部に形成されているメイン側固定用リブ４３ａは、メイン挿通部４０の内部と外部とを連通するメイン挿通口４５を形成している。  
このように構成されたメイン側固定用リブ４３は、溝部２１２と嵌合することで、メインコルゲート２１０をメイン挿通口４５に固定することができる。
【００５４】
位置決め部４４は、図４に示すように、メイン挿通部側面４２の内面から隆起部２１１と溝部２１２の外周面の差分と同じ厚さだけ内側に突出したリブであり、メイン側固定用リブ４３よりも−Ｘ方向側において、互いに対向するように２つ配置されている。
【００５５】
このように構成された位置決め部４４は、メインコルゲート２１０の先端を当接させることで、メインコルゲート２１０を所定の位置まで挿入させたことの目安とすることができる。  
なお、位置決め部４４はメインコルゲート２１０を十分に挿通させるための目安であって、必ずしもこの位置まで挿通させる必要はない。
【００５６】
貫通孔６０は、図４に示すように、メイン挿通部底面４１を上下方向Ｚに貫通させた平面視矩形状の貫通孔であり、メイン挿通部底面４１の幅方向Ｙの中央部分、かつ、メイン側固定用リブ４３ｂと位置決め部４４との間に形成されている。
【００５７】
この貫通孔６０の長手方向Ｘに対する長さは、ピッチＬ１の２倍よりわずかに長く、幅方向Ｙに対する長さはピッチＬ１と略等しくなるように形成されており、メイン挿通部４０の内部と外部とを挿通している。
【００５８】
挿入確認部７０は、図４乃至図６に示すように、長手方向Ｘに沿って延びる平面視平板状の支持板７１と、支持板７１の＋Ｘ方向側を回動可能に支持するヒンジ部７２と、支持板７１の＋Ｘ方向側端部においてメイン挿通部４０の内側に向けて突出する嵌合部７３とで構成されている。
【００５９】
支持板７１は、メイン挿通部底面４１と同じ板厚を有するとともに、図４（ｂ）に示すように、平面視において−Ｘ方向側が＋Ｘ方向側よりも幅広となる等脚台形状に構成された板状体であり、−Ｘ方向側端部はヒンジ部７２と連結しているとともに、＋Ｘ方向側端部は嵌合部７３が連結している。
【００６０】
ヒンジ部７２は、図６に示すように、支持板７１の−Ｘ方向側端部と連結した枢支軸である。  
このヒンジ部７２は、貫通孔６０の−Ｘ方向側縁部から＋Ｘ方向側に延出する平板状の基部７２１と、基部７２１の＋Ｘ方向側において設けられた曲折部７２２とで構成されており、曲折部７２２の長手方向Ｘの中央部分において上面を下方側に窪ませた凹部７２３が形成されている。
【００６１】
曲折部７２２は、基部７２１のおよそ半分の板厚を有する平板であり、−Ｘ方向側端部は上面が基部７２１の上面と面一となるように基部７２１と連結されている。また、＋Ｘ方向側端部は、支持板７１の上面と面一となるように支持板７１と連結している。なお、ヒンジ部７２の底面側であって、基部７２１及び支持板７１と連結する箇所は角取がされており、丸みを帯びている。  
このように構成されたヒンジ部７２は、凹部７２３を枢支軸として支持板７１を上下方向Ｚに枢動させることができる。
【００６２】
支持板７１の長軸方向Ｌの先端側（＋Ｘ方向側）に連結されている嵌合部７３は、図６に示すように、メイン挿通部４０の内側であって、支持板７１の長軸方向Ｌと直交する方向へ突出する突出部７３１と、突出部７３１を支持する突起支持部７３２とで構成されている。
【００６３】
突出部７３１は、隆起部２１１と溝部２１２との外周面の差分、すなわち、溝部２１２の溝の深さと同じ高さを有するとともに、支持板７１の長手方向に沿ってギャップＬ２の長さを有する突起である。なお、側面視断面において突出部７３１の先端部分は円弧状に形成されている。  
【００６４】
また、支持板７１とメイン挿通部底面４１とが水平状態の場合に、この突出部７３１は、ヒンジ部７２及びメイン側固定用リブ４３ｂからピッチＬ１だけ離れた位置に設けられている。換言すると、この嵌合部７３は、支持板７１がメイン挿通部底面４１と水平となった状態において、メイン側固定用リブ４３ｂ及びヒンジ部７２との中間部分に設けられている。
【００６５】
突起支持部７３２はピッチＬ１の他端側が支持板７１の先端側と連結する板状体であり、メイン挿通部４０の内側に向けて突出する突出部７３１を支持する。この突起支持部７３２はメイン挿通部底面４１と同じ板厚で構成されている。
【００６６】
このように構成された挿入確認部７０は、図６に示すように、支持板７１の基端側（＋Ｘ方向側端部）がメイン挿通部４０の内側に配置されるように、ヒンジ部７２を軸として上方に折れ曲がっている。  
なお、図４（ｂ）に示すように、挿入確認部７０は貫通孔６０よりもわずかに小さく構成されている。
【００６７】
ハーネス収容部３０の−Ｙ方向側端部及び中央部分において＋Ｘ方向側及び−Ｘ方向側に突出するサブ挿通部５０は、収容部底面３１と一体に構成されたサブ挿通部底面５１と、サブ挿通部底面５１の両端から上方に立設し、かつ、収容部側面３２と連結するサブ挿通部側面５２とで断面凹状に形成されており、ハーネス収容部３０と連通している。  
なお、収容部底面３１とメイン挿通部底面４１とサブ挿通部底面５１とで底面部１１を構成するとともに、収容部側面３２とメイン挿通部側面４２とサブ挿通部側面５２とで側壁部１２を構成している。
【００６８】
このサブ挿通部５０は、メイン挿通部４０と同様に、対応するサブコルゲート２２０を固定するサブ側固定用リブ５３が長手方向Ｘに沿って等間隔で５つ備えられており、サブ側固定用リブ５３のうち最も外側に位置するサブ側固定用リブ５３ａによりサブ挿通口５４が形成されている。  
なお、サブ側固定用リブ５３は、対応するサブコルゲート２２０のサイズに合わせているものの、メイン側固定用リブ４３と同じ構成であるため、説明を省略する。
【００６９】
蓋部２０は、プロテクタ本体１０の底面部１１（収容部底面３１、メイン挿通部底面４１、サブ挿通部底面５１）と対応する形状である上面部２１と、上面部２１の両端から下方に突出する蓋側側面２２とで断面凹状に形成された蓋であり、プロテクタ本体１０に被せることにより、プロテクタ本体１０の上方側開口を塞ぐことができる。  
なお、蓋側側面部２２には、プロテクタ本体１０に対して被せた状態において、プロテクタ本体１０に設けられた被係止部１３に対応する位置に蓋側係止部２３が設けられている。
【００７０】
また、蓋部２０の内部は、メイン側固定用リブ４３及びサブ側固定用リブ５３に対応する位置に蓋側固定リブ２４、２５が設けられている。  
この蓋側固定リブ２４、２５は、蓋部２０のメイン側固定用リブ４３及びサブ側固定用リブ５３と対応する位置において、挿通方向から視て上方向に向けて凸状の円弧で形成されたＵ字状のリブであり、メイン側固定用リブ４３及びサブ側固定用リブ５３と同様に、長手方向Ｘに沿って５つ等間隔で配置されている。なお、蓋側固定リブ２４、２５の内径は、メイン側固定用リブ４３及びサブ側固定用リブ５３の円弧部分の内径と同様に、対応するメインコルゲート２１０、サブコルゲート２２０の外径と等しくなるように構成されている。
【００７１】
次に、このように構成されたプロテクタ２に対してワイヤーハーネス１００を挿通させたコルゲート２００を組み付けたワイヤーハーネス付プロテクタ１について、簡単に説明する。
【００７２】
はじめに、ワイヤーハーネス１００をプロテクタ２に組み付ける方法について簡単に説明する。  
プロテクタ２にワイヤーハーネス１００を収容するために、コルゲート２００に挿通されたワイヤーハーネス１００をプロテクタ本体１０の形状に合わせて変形させる。すなわち、ハーネス収容部３０に対してワイヤーハーネス１００が収容されるとともに、メイン挿通部４０及びサブ挿通部５０の形状に合わせてメインハーネス１１０及びサブハーネス１２０とが挿通するように変形させる
【００７３】
次に、メインコルゲート２１０の−Ｘ方向側端部が位置決め部４４と当接するとともに、メインコルゲート２１０及びサブコルゲート２２０の溝部がメイン側固定用リブ４３及びサブ側固定用リブ５３に嵌合するようにメインコルゲート２１０及びサブコルゲート２２０の位置を調整し、変形及び位置調整をさせたワイヤーハーネス１００を上方からプロテクタ本体１０に嵌め込む。
【００７４】
このようにコルゲート２００に挿通されたワイヤーハーネス１００をプロテクタ本体１０に嵌め込んだ後に、プロテクタ本体１０の上方開口部分を閉じるように蓋部２０を上方から降ろして、被係止部１３と蓋側係止部２３とを係止させ、プロテクタ本体１０に蓋部２０を固定する。  
これにより、コルゲート２００に挿通させたワイヤーハーネス１００をプロテクタ２に組み付けたワイヤーハーネス付プロテクタ１を製造することができる。  
【００７５】
このようにして製造されたワイヤーハーネス付プロテクタ１は、図７に示すように、メインコルゲート２１０の先端が位置決め部４４と当接するようにメインコルゲート２１０がメイン挿通部４０に挿通されているとともに、溝部２１２がメイン側固定用リブ４３と嵌合している。
【００７６】
また、メインコルゲート２１０の外周面と突出部７３１が当接することで、ヒンジ部７２を枢支軸として支持板７１及び嵌合部７３が−Ｚ方向側に枢動して、支持板７１及び突起支持部７３２がメイン挿通部底面４１と面一となるように配置される。これにより、支持板７１及び嵌合部７３が部分的に貫通孔６０を塞ぐことができる。
【００７７】
このように塞がれた貫通孔６０を目視することで、嵌合部７３を外部から確認できるとともに、貫通孔６０を触手することで貫通孔６０を塞ぐ嵌合部７３を確認できるため、メインコルゲート２１０が所定の位置に配置されていることを確認できる。
【００７８】
詳述すると、ワイヤーハーネス１００がメイン挿通部４０に挿通されていないプロテクタ２においては、図５及び図６に示すように、挿入確認部７０は、支持板７１の先端（−Ｘ方向側端部）がメイン挿通部４０の内側に配置されるように、ヒンジ部７２を軸として支持板７１がメイン挿通部４０の内側に折れ曲がった状態となっている。このため、貫通孔６０からはメイン挿通部４０の内部を視認できる。
【００７９】
このようなプロテクタ２に対してワイヤーハーネス１００を収容することで、より具体的には、メイン挿通部４０に対して所定の位置まで挿入できるように配置させたメインコルゲート２１０を、＋Ｚ方向から−Ｚ方向に移動させることで、メインコルゲート２１０の外周面が突出部７３１と当接することとなる。これにより、ヒンジ部７２を枢動軸として嵌合部７３が枢動回転し、嵌合部７３が下方側に枢動移動することとなる。
【００８０】
そして、メインコルゲート２１０がメイン挿通部４０における所定の位置まで挿通された状態、すなわち、メインコルゲート２１０の先端が位置決め部４４と当接するとともに、溝部２１２がメイン側固定用リブ４３に嵌合した状態において、突出部７３１が溝部２１２と嵌合するとともに、突起支持部７３２がメイン挿通部底面４１と面一となって貫通孔６０を部分的に塞ぐこととなる。
【００８１】
このように貫通孔６０が嵌合部７３によって部分的に遮られるため、貫通孔６０を介して嵌合部７３（突起支持部７３２）を目視又は触手により確認でき、メインコルゲート２１０が所定の位置までメイン挿通部４０に挿通されていることを確実に確認することができる。  
なお、嵌合部７３は、メイン挿通部底面４１における幅方向Ｙの中央部分に配置されているため突出部７３１は溝部２１２の下方側の円頂部分と当接することとなる。
【００８２】
これに対して、例えば図８に示すように、メインコルゲート２１０が所定の位置まで挿入されていない場合には、メインコルゲート２１０を上方から挿入する際に、メインコルゲート２１０の外周面と突出部７３１とが当接することがないため、支持板７１がヒンジ部７２を枢支軸として枢動することがなく、図８（ｂ）に示すように、突起支持部７３２が貫通孔６０を塞ぐことがない。
【００８３】
したがって、貫通孔６０からメイン挿通部４０の内部を視認でき、また貫通孔６０を触手することにより貫通孔６０が塞がれていないことを確認できる。これによって、メインコルゲート２１０が所定の位置まで挿入されていないことを認識することができる。
【００８４】
なお、突出部７３１の高さは溝部２１２の溝の深さと同じであるため、すなわち、突出部７３１の高さを極力低くしているため、突出部７３１が嵌合する溝部２１２以外の箇所と当接及び嵌合することを防止できる。
【００８５】
このように、外周方向に隆起する隆起部２１１と内周方向に凹む溝部２１２とが長手方向Ｘに沿って交互に配置された蛇腹構造のメインコルゲート２１０に挿通されたワイヤーハーネス１００を内部に収容するプロテクタ２は、メインコルゲート２１０を固定するメイン側固定用リブ４３及びメインコルゲート２１０の端部が挿入されるメイン挿通口４５を有するとともに、内部にワイヤーハーネス１００を挿通するメイン挿通部４０が設けられ、メイン挿通部４０に、メイン挿通口４５からメインコルゲート２１０が所定位置まで挿入されたことを外部から確認する挿入確認部７０が備えられ、挿入確認部７０は、メイン挿通口４５から所定位置まで挿入されたメインコルゲート２１０の外周面に当接する嵌合部７３と、嵌合部７３を支持するとともに、メインコルゲート２１０の外周面に当接する嵌合部７３を外部から確認可能となるように外側へ移動可能に支持するヒンジ部７２とで構成されたことにより、メインコルゲート２１０が所定の位置まで挿入されていることを確実に確認できる。
【００８６】
詳述すると、メインコルゲート２１０を所定の位置まで挿入することで、メインコルゲート２１０の外周面と当接した嵌合部７３が外側に移動することとなる。このように外側に移動した嵌合部７３を外部から目視や触手により確認することで、メイン挿通部４０の所定の位置までメインコルゲート２１０が挿通されていることを確実に確認できる。
【００８７】
またメイン挿通部４０に、外部と内部とを貫通する貫通孔６０が設けられ、ヒンジ部７２が、貫通孔６０に対応するように内部に配置された嵌合部７３を支持するとともに、メインコルゲート２１０の外周面に当接する嵌合部７３を貫通孔６０まで移動可能に支持することにより、貫通孔６０から嵌合部７３を確認することができる。したがって、メインコルゲート２１０が所望の位置まで挿入されていることを確実に確認できる。
【００８８】
また嵌合部７３が貫通孔６０まで移動することにより、貫通孔６０が嵌合部７３によって少なくとも部分的に塞がれるため、貫通孔６０からメイン挿通部４０の内部に異物が侵入することを防止できる。
【００８９】
さらにまた、嵌合部７３は貫通孔６０まで移動して、メイン挿通部底面４１と面一となるため、すなわち嵌合部７３が貫通孔６０の外側に突出することがないため、例えばプロテクタ２の外側に他の機器を配置するための空間を確保できるとともに、見栄えを向上させることができる。
【００９０】
また、嵌合部７３は、貫通孔６０の形状に比べて小さくすることにより、嵌合部７３と貫通孔６０との間に隙間を設けることができる。これにより、嵌合部７３が過度に内部側に入り込んでしまったときなどに、貫通孔６０を介して嵌合部７３をメインコルゲート２１０と正しく当接する位置に戻すことができる。
【００９１】
またプロテクタ２は、底面部１１と両側の側壁部１２とで断面凹状に形成されたプロテクタ本体１０と、開口を覆う蓋部２０とで構成され、プロテクタ本体１０における底面部１１（メイン挿通部底面４１）に、貫通孔６０及び挿入確認部７０を備えることにより、メイン挿通部４０に貫通孔６０を容易に設けることができるため加工性が向上するとともに、製造コストを削減することができる。
【００９２】
また、プロテクタ２を車体に取り付ける状態において、蓋部２０又は底面部１１の一方は車体側と当接する面となる。すなわち、蓋部２０又は底面部１１の他方が車体の外側に向けて配置される面となるため、蓋部２０又は底面部１１の他方側に貫通孔６０及びヒンジ部７２を備えることで、車体に取り付けた状態でもメインコルゲート２１０が所定の位置まで挿通されているかを容易かつ確実に確認できる。
【００９３】
また嵌合部７３は、プロテクタ本体１０に対して蓋部２０を装着させる装着方向におけるメインコルゲート２１０の隆起部２１１又は溝部２１２の円頂部分に対応する位置に設けられることにより、嵌合部７３の高さを低くすることができ、嵌合部７３の剛性を高めることができる。これにより、メインコルゲート２１０と当接した際に嵌合部７３が破損することを防止できる。
【００９４】
またヒンジ部７２は、メイン挿通部４０に支持されるとともに、嵌合部７３を枢動させることができるため、容易な構成で嵌合部７３をメイン挿通部４０の外側へ枢動できる。
【００９５】
また、嵌合部７３がメインコルゲート２１０と当接していない状態では、嵌合部７３のメイン挿通部４０（メイン挿通部底面４１）に対する傾斜が大きくなる。一方、嵌合部７３がメインコルゲート２１０と当接することにより、嵌合部７３が枢動してメイン挿通部４０（メイン挿通部底面４１）に対する傾斜が小さくなる。このように、嵌合部７３が枢動することにより、メイン挿通部４０の外部から確認できる嵌合部７３の変化が明確なるため、より確実に目視や触手により確実に確認できる。したがって、メインコルゲート２１０が所定位置まで配置されたことをより確実に確認することができる（図７及び図８参照）。
【００９６】
さらにまた、ヒンジ部７２は、板状の支持板７１の一端側と連結されるとともに、支持板７１の他端側には嵌合部７３が連結されることにより、支持板７１の他端側に設けられた嵌合部７３の移動幅を大きくすることができる。これにより、嵌合部７３がメインコルゲート２１０の外周面と当接前後における変化量が大きくでき、メインコルゲート２１０が所定位置まで挿通されていることをより確実に確認することができる。  
また支持板７１が、一端側（−Ｘ方向）が他端側よりも幅広の台形状であることにより、ヒンジ部７２が設けられた支持板７１の一端側の強度を向上させることができる。
【００９７】
また嵌合部７３が、メイン挿通口４５から挿通されるワイヤーハーネス１００の挿通方向（長手方向Ｘ）の基端側（＋Ｘ方向側）に設けられ、ヒンジ部７２が、メイン挿通口４５から挿通されるワイヤーハーネス１００の挿通方向の先端側（−Ｘ方向側）に設けられることにより、嵌合部７３を挿通口側に設けることができるため、メインコルゲート２１０が所定の位置まで挿入されているかを確認するために、余分に挿通させるメインコルゲート２１０の長さを短くすることができる。したがって、不要にメインコルゲート２１０が長くなることを防止でき、軽量化を図ることができる。
【００９８】
また、嵌合部７３は、溝部２１２に対して嵌合するように構成されることにより、嵌合部７３を安定して下方（−Ｚ方向側）へ移動させることができるため、より確実にメインコルゲート２１０が所定の位置まで挿通されたことを確認することができる。
【００９９】
この発明の構成と、上述の実施形態との対応において、
コルゲートは、メインコルゲート２１０に対応し、
コルゲート固定部は、メイン側固定用リブ４３に対応し、
挿入口は、メイン挿通口４５に対応し、
ワイヤ挿通部は、メイン挿通部４０に対応し、
当接部は、嵌合部７３に対応し、
移動支持部及び枢支部は、ヒンジ部７２に対応し、
連結部は、支持板７１に対応するが、
この発明は、上述の実施形態の構成のみに限定されるものではなく、多くの実施の形態を得ることができる。
【０１００】
例えば、本実施形態では、貫通孔６０及び挿入確認部７０をメイン挿通部底面４１に設けているが、必ずしもメイン挿通部底面４１に設ける必要はなく、例えば図９に示すように、メイン挿通部４０に対応する上面部２１に設けてもよい。
【０１０１】
仮にメイン挿通部底面４１が車体側に取付ける面となる場合、上面部２１が外側に配置されるため、上面部２１に貫通孔６０及び挿入確認部７０を設けることで、ワイヤーハーネス付プロテクタ１を車体に組み付けた状態であっても、メインコルゲート２１０が所定の位置まで挿入されていることを確実に確認できる。
【０１０２】
また、本実施形態では、メイン挿通部４０にのみ貫通孔６０及び挿入確認部７０を設けているが、当然にサブ挿通部５０に設けてもよい。  
さらにまた、本実施形態におけるメイン挿通部４０には位置決め部４４が設けられているが、位置決め部４４は必ずしも必須ではなく、サブ挿通部５０のように位置決め部４４設けていない状態であっても、貫通孔６０及び挿入確認部７０を設けることで、メインコルゲート２１０が所定の位置まで挿入されていることを確実に確認できる。
【０１０３】
また、本実施形態では、嵌合部７３が、貫通孔６０の−Ｘ方向側縁部と連結したヒンジ部７２から延出する支持板７１の＋Ｘ方向側端部に設けられているが、例えば図１０に示すように、貫通孔６０の＋Ｘ方向側縁部と連結したヒンジ部７２から延出する支持板７１の−Ｘ方向側端部に嵌合部７３が設けられてもよい。
【０１０４】
すなわち、本実施形態では、嵌合部７３がヒンジ部７２に対してメイン挿通口４５側に設けられているが、図１０に示すように、ヒンジ部７２に対して位置決め部４４側に嵌合部７３が設けられてもよい。
【０１０５】
この実施形態によると、メインコルゲート２１０に対して＋Ｘ方向側に向けて外力が作用したとしても、メインコルゲート２１０における溝部２１２と嵌合している嵌合部７３が上方（＋Ｚ方向側）に枢動することとなり、メインコルゲート２１０が＋Ｘ方向側に抜けることを防止できる。
【０１０６】
また本実施形態において、嵌合部７３は、メインコルゲート２１０の溝部２１２と嵌合するように構成されているが、必ずしもこの構成である必要はなく、例えば、嵌合部７３におけるメインコルゲート２１０の外周面と当接する当接部分が平坦となるように構成された場合や、嵌合部７３における当接部分が隆起部２１１と嵌合可能に窪んで構成されてもよい。しかしながら、嵌合部７３を溝部２１２と嵌合するように構成することにより、枢動する嵌合部７３が隆起部２１１の側壁に沿って嵌合する位置に案内されるため、確実に嵌合部７３と溝部２１２とを嵌合できる。
【０１０７】
また、嵌合部７３は、溝部２１２と当接する以外にも、メインコルゲート２１０の隆起部２１１と当接する構成でもよい。  
さらに、本実施形態に示すように、嵌合部７３を摺動させるように支持するヒンジ部７２とする以外に、嵌合部７３をメイン挿通部４０における内側から外側へと平行移動するように支持する構成としてもよい。
【０１０８】
また、本実施形態では、突起支持部７３２の外面を平坦な面としているが、例えば全部あるいは部分的に板厚を厚くすることで、メインコルゲート２１０が所定の位置まで挿通された状態において、メイン挿通部底面４１の外側に突起支持部７３２が突出するよう構成としても良い。これにより、視覚又は力覚により嵌合部７３をより確実に確認できる。  
なお、突起支持部７３２の板厚をメイン挿通部底面４１よりも薄くすることで、段差を作ってもよい。
【０１０９】
また、挿入確認部７０の形状は貫通孔６０よりも小さく構成されているが、例えば矩形状の貫通孔６０に対して、長手方向Ｘあるいは幅方向Ｙの少なくとも一方側の長さを短くすることで、貫通孔６０と挿入確認部７０との間に隙間を生じさせてもよい。  
また、貫通孔６０は矩形状である必要はなく、円形や楕円形、小判形など適宜その形状を変更できる。
【符号の説明】
【０１１０】
１        ワイヤーハーネス付プロテクタ
２        プロテクタ
１０      プロテクタ本体
１１      底面部
１２      側壁部
２０      蓋部
４０      メイン挿通部
４３      メイン側固定用リブ
４５      メイン挿入口
６０      貫通孔
７０      挿入確認部
７１      支持板
７２      ヒンジ部
７３      嵌合部
１００  ワイヤーハーネス
２１０  メインコルゲート
２１１  隆起部
２１２  溝部
Ｘ      長手方向
【図１】
2019161956.tif 000003
【図２】
2019161956.tif 000004
【図３】
2019161956.tif 000005
【図４】
2019161956.tif 000006
【図５】
2019161956.tif 000007
【図６】
2019161956.tif 000008
【図７】
2019161956.tif 000009
【図８】
2019161956.tif 000010
【図９】
2019161956.tif 000011
【図１０】
2019161956.tif 000012